(57)【要約】【課題】  あらゆる形状の洗面化粧台において好適に設置することができる洗面化粧台用トレイを提供する。【解決手段】  洗面化粧台１の洗面ボウル１１の縁部に設けられて小物３を載置する洗面化粧台用トレイ４である。この洗面化粧台用トレイ４は、小物３を載置する載置板５と、載置板５の裏面の少なくとも３箇所に配されて洗面ボウル１１の弧状底面に設置される支持脚６と、から成る。そして、支持脚６はそれぞれが独立して伸縮自在となるようにした。【選択図】        図１
2010104448.tif 000002
【特許請求の範囲】
【請求項１】
洗面化粧台の洗面ボウルの縁部に設けられて小物を載置する洗面化粧台用トレイであって、小物を載置する載置板と、載置板の裏面の少なくとも３箇所に配されて洗面ボウルの弧状底面に設置される支持脚と、からなり、支持脚はそれぞれが独立して伸縮自在であることを特徴とする洗面化粧台用トレイ。
【請求項２】
前記支持脚の先端に滑り止め部を備えて成ることを特徴とする請求項１に記載の洗面化粧台用トレイ。
【請求項３】
前記載置板は、水抜きのための貫通孔が複数貫設してあることを特徴とする請求項１又は請求項２に記載の洗面化粧台用トレイ。
【請求項４】
前記貫通孔は、歯ブラシの柄部を挿通できる大きさで形成されていることを特徴とする請求項３に記載の洗面化粧台用トレイ。
【発明の詳細な説明】
【技術分野】
【０００１】
本発明は、洗面化粧台に設けられて、石鹸や歯ブラシ等の小物を仮置きできる洗面化粧台用トレイに関するものである。
【背景技術】
【０００２】
従来から、洗面化粧台に設けられて石鹸等の小物を載置しておくものとして、例えば、特許文献１に示すものが知られている。この特許文献１に示す洗面化粧台は、洗面化粧台の洗面ボウルの奥部の縁部に凹みを設けて、この凹みの対向する両側上縁上に、石鹸等の小物を仮置きできるトレイの両側のフランジを載置して設けたものである。
【特許文献１】特許第３０５９６９１号公報
【発明の開示】
【発明が解決しようとする課題】
【０００３】
しかしながら、このようなトレイの形状は、洗面ボウルの縁部に設けた凹みの形状にあわせて成形する必要がある。つまり、洗面化粧台の洗面ボウルには多種多様な形状が存在しており、その洗面化粧台の洗面ボウルの製品ごとに、適合するトレイの形状が異なるものとなる。そのため、このトレイの成形に必要な金型が洗面化粧台の製品ごとに必要と成るばかりか、トレイの在庫管理をする上で非常に面倒臭いものとなっていた。
【０００４】
本発明は、上記従来の問題に鑑みてなされたものであり、その目的とするところは、あらゆる形状の洗面化粧台において好適に設置することができる洗面化粧台用トレイを提供することにある。
【課題を解決するための手段】
【０００５】
上記課題を解決するために請求項１に係る発明にあっては、洗面化粧台１の洗面ボウル１１の縁部に設けられて小物３を載置する洗面化粧台用トレイ４であって、小物３を載置する載置板５と、載置板５の裏面の少なくとも３箇所に配されて洗面ボウル１１の弧状底面に設置される支持脚６と、からなり、支持脚６はそれぞれが独立して伸縮自在であることを特徴とするものである。
【０００６】
このように構成したことで、洗面ボウル１１の底面における平坦な面は勿論のこと、洗面ボウル１１の弧状の底面においても、載置板５を水平に保ったまま洗面化粧台用トレイ４を設置することができるので、あらゆる形状の洗面ボウル１１に洗面化粧台用トレイ４を取付けることができる。
【０００７】
また、請求項２に係る発明にあっては、請求項１に係る発明において、前記支持脚６の先端に滑り止め部６１０を備えて成ることを特徴とするものである。
【０００８】
このように構成したことで、請求項１に係る効果に加えて、洗面化粧台用トレイ４をより一層安定して洗面ボウル１１の底面上に設置することができる。
【０００９】
また、請求項３に係る発明にあっては、請求項１又は請求項２に係る発明において、前記載置板５は、水抜きのための貫通孔５１が複数貫設してあることを特徴とするものである。
【００１０】
このように構成したことで、請求項１又は請求項２に係る効果に加えて、この洗面化粧台用トレイ４に使用直後の濡れた石鹸３ａを載置した場合であっても、載置板５上に水が溜まり難くなるため、カビやヌメリが発生し難いものとなる。
【００１１】
また、請求項４に係る発明にあっては、請求項３に係る発明において、前記貫通孔５１は、歯ブラシ２の柄部２１を挿通できる大きさで形成されていることを特徴とするものである。
【００１２】
このように構成したことで、請求項３に係る効果に加えて、この洗面化粧台用トレイ４を歯ブラシ立てとしても使用することができる。
【発明の効果】
【００１３】
本発明の洗面化粧台用トレイは、洗面ボウルの底面における平坦な面は勿論のこと、洗面ボウルの弧状の底面においても、載置板を水平に保ったまま洗面化粧台用トレイを設置することができるので、あらゆる形状の洗面ボウルに洗面化粧台用トレイを取付けることができる。さらに言えば、洗面化粧台の洗面ボウルの形状がどんな形状をしていても、好適に設置することができるから、この洗面化粧台用トレイの在庫管理をする上で、非常に簡単且つ正確な在庫管理を行なうことができる。
【発明を実施するための最良の形態】
【００１４】
以下、本発明について添付図面に基づいて説明する。
【００１５】
本発明の洗面化粧台用トレイ４は、洗面化粧台１の洗面ボウル１１の底面に設置される。この洗面化粧台用トレイ４には、洗面化粧台１において使用する石鹸３ａや歯磨きチューブ等といった小物３を一時的に仮置きする場合や、石鹸３ａ等を長い間載置しておく場合など、いずれの場合にも使用される。
【００１６】
この洗面化粧台用トレイ４は、前述の小物３がその上面に載置される載置板５と、その載置板５の裏面の前後左右の隅部近傍の４箇所に設置される支持脚６とを備えている。
【００１７】
この載置板５は、平面視略矩形状を成した樹脂板で主体が形成されており、載置板５の長手方向の両端部は、やや斜め上方に傾斜を有する屈曲部５２を備えている。さらに、この載置板５には、上下方向に貫通して水抜きをするための貫通孔５１が複数箇所（本実施例では、６箇所）に貫設してある。本例における貫通孔５１は、歯ブラシ２の柄部２１が挿通できる大きさで、且つ、歯ブラシ２のブラシ部２２が挿通できない大きさに形成されている。
【００１８】
支持脚６は、円筒形状の樹脂により成形されており、しかも各支持脚６は、独立して上下方向に伸縮自在で、且つ、所望の長さで固定可能となるように形成されている。詳しく説明すると、支持脚６は、洗面ボウル１１の底面に接地する接地部６１と、接地部６１を螺進又は螺退させる回動部６２と、回動部６２が回転自在となるように接続し、且つ、回動部６２が接続された側とは反対側の端部で載置板５の裏面に固設される上段部６３とで構成されている。
【００１９】
接地部６１は、先端である洗面ボウル１１の底面との接地部位に、ゴムにより成形される滑り止め部６１０を備えている。そして、円筒形状の接地部６１の外周部には、滑り止め部６１０を除く軸方向の略全長に亘っておねじ部６１１が螺刻されている。
【００２０】
回動部６２は、円筒形状の接地部６１を被嵌する大きさで且つ筒状に形成されており、接地部６１のおねじ部６１１と噛み合うめねじ部（図示せず）が、回動部６２の内周に設けられている。また、回動部６２は上段部６３に対して回動自在に設けられている。
【００２１】
上段部６３は、円筒形状の接地部６１を被嵌する大きさで且つ筒状に形成されており、先端に回動部６２を回動自在に設けると共に、その基部は載置板５の裏面に固設されている。
【００２２】
このように形成された接地部６１と回動部６２と上段部６３とで、支持脚６を形成するには、上段部６３に接地部６１を嵌入するのであるが、詳しく説明すると、上段部６３の先端に設けられた回動部６２の開口に、接地部６１の滑り止め部６１０の反対側の端部を嵌め込む。その後、回動部６２を回動していくことにより、接地部６１の外周に設けられたおねじ部６１１と回動部６２の内周に設けられためねじ部とが螺合し、その回動部６２の回動を継続し続けることで、接地部６１を上段部６３の内部に螺退させて連結し、支持脚６が形成される。
【００２３】
このように構成された洗面化粧台用トレイ４は、弧状の底面（以下、弧状底面という）を有する洗面ボウル１１を備える洗面化粧台１に設置される。
【００２４】
本実施形態の洗面化粧台１は、図１に示すように、洗面化粧台１の後部上方に前面に鏡１２を設けたキャビネット１３を配設して構成されている。そして、そのキャビネット１３の前面の下方に、側面から中央に向けて弧状に傾斜を有し、且つ、平面視略矩形状の開口を有する洗面ボウル１１が設けられると共に、洗面ボウル１１の後縁部に吐水部１４、吐水水量や吐水温度を操作する吐水操作部１５、排水栓（図示せず）の開閉を操作する開閉操作部１６が設けられ、洗面ボウル１１の下方には収納スペースや配管スペースとして利用可能な洗面台下部空間１７が設けられている。
【００２５】
本発明の洗面化粧台用トレイ４を洗面化粧台１の洗面ボウル１１に取付けるには、以下の手順によって取付けられる。
【００２６】
本実施形態の洗面化粧台用トレイ４は、洗面化粧台１に向かって右側の前方側（手前側）の洗面ボウル１１の縁部に取付ける。まず、洗面化粧台用トレイ４の前方となる側の２箇所の支持脚６の回動部６２を回動させて、接地部６１を螺退させておき、支持脚６を縮めておく。その状態で、洗面ボウル１１の縁部に（本実施形態では、洗面ボウル１１に向かって右側の前方側の縁部に）沿うようにして、弧状底面上に洗面化粧台用トレイ４を載置する。
【００２７】
次に、洗面化粧台用トレイ４の前方、又は、後方の支持脚６の回動部６２を回動させて、載置板５を水平状態となるように調整する。このとき、各支持脚６は独立して伸縮自在となっているから、簡単に水平状態に調整することができる。このようにして、洗面化粧台用トレイ４の設置が完了する。
【００２８】
本発明の洗面化粧台用トレイ４は、支持脚６の先端に滑り止め部６１０を形成しているから、たとえ洗面ボウル１１の底面が弧状底面であったとしても、支持脚６が滑り落ちることなく、安定した設置状態を得ることができる。また、載置板５には貫通孔５１が穿設してあるから、仮に載置板５上に使用直後の濡れた石鹸３ａを載置した場合であっても、その石鹸３ａからの水滴が載置板５上に滞留しにくく、水はけが良好になっており、載置板５におけるカビやヌメリの発生を防止することができる。仮に、洗面化粧台用トレイ４が汚れてしまった場合であっても、本発明の洗面化粧台用トレイ４は、持ち上げるだけで簡単に取り外すことができるので、本体全体を簡単に丸洗いすることができる。その結果、洗面化粧台用トレイ４を常に清潔に保つことができる。
【００２９】
本実施形態においては、洗面化粧台１に向かって右側の前方側（手前側）の縁部に洗面化粧台用トレイ４を設置するようにしたが、例えば、洗面化粧台１が向かって右側の壁面に沿って設置されている場合や、洗面化粧台１を使用する使用者が左利きである場合等においては、洗面化粧台１に向かって左側の前方側（手前側）の縁部に洗面化粧台用トレイ４を設置すればよく、つまり、使用者の所望の位置に簡単に設置することができる。
【００３０】
その上、本実施例の載置板５は平面視略矩形状に設けられているため、平面視略矩形状の開口を有する洗面ボウル１１の平面視直線状の縁部に洗面化粧台用トレイ４を設置するに当たって、この洗面化粧台用トレイ４を洗面ボウル１１の平面視直線状の側面に沿って隙間無く設置することができ、見栄えも良好なものとなる。
【００３１】
さらに言えば、本発明の洗面化粧台用トレイ４は、洗面化粧台１のキャビネット１３内に収容できるようになっている。図４に示すように、キャビネット１３内には、洗面化粧台１の小物３を収納するための有底箱状の着脱トレイ１３０が設置されており、この着脱トレイ１３０上に本発明の洗面化粧台用トレイ４を載置して収納できるようになっている。
【００３２】
このように、着脱トレイ１３０上に洗面化粧台用トレイ４を載置した場合には、歯ブラシ立てとしても使用できるようになる。つまり、本発明の洗面化粧台用トレイ４の載置板５に設けられた貫通孔５１は、歯ブラシ２の柄部２１が挿通できる大きさに設けられているから、その貫通孔５１に歯ブラシ２の柄部２１を挿通し、歯ブラシ２を立てかけておくことができる。
【００３３】
本発明の洗面化粧台用トレイ４は、その支持脚６が伸縮自在に設けられているから、歯ブラシ２の長さに応じて支持脚６の上下長さを決めることができる。そのため、従来の歯ブラシ立てのようにキャビネット１３内に一体成形されたものは、収納できる歯ブラシ２の柄部２１の長さが制限されてしまっており、子供用の柄部２１が短い歯ブラシ２は収納することができなかったが、本発明によれば、支持脚６の長さを短くするだけで、子供用の歯ブラシ２をも簡単に収納できるようになるという利点を有している。
【００３４】
以上、本実施例においては、洗面化粧台用トレイ４を、弧状底面を有する洗面ボウル１１の縁部に設ける例について説明したが、本発明の洗面化粧台用トレイ４は、洗面ボウル１１の底面が平坦な面であっても取付けることができるのは勿論のことであり、洗面ボウル１１の周囲のカウンター上にも設置が可能である。
【００３５】
また、上記実施形態の伸縮可能な構造な支持脚６の構造は、本例のようにめねじ部とおねじ部６１１を設けたものでなくてもよく、例えば、上段部６３と接地部６１とを無理嵌めして支持脚６を構成するものであってもよい。無理嵌めにより支持脚６を構成すれば、単純な構成で支持脚６を伸縮自在なものとすることができる。さらに別の例としては、ロッドアンテナの伸縮構造のように、上段部６３を外筒とすると共に、接地部６１を内筒として、外筒の内周面と内筒の外周面とを相互に摺動自在に設けることで、この支持脚６を伸縮自在で、且つ、所望の長さで固定できるようなものとすることも可能である。
【００３６】
また、支持脚６を設けるに当たって、本実施形態のように４箇所に設けることについては特に限定されるものでなく、例えば３箇所や、５箇所といったように３箇所以上の支持脚６を設けて、載置板５を支持するものであれば、洗面化粧台用トレイ４の安定した設置が可能となる。
【００３７】
さらに、洗面化粧台用トレイ４の材質も樹脂に限定されるものではない。また、載置板５の形状も矩形状に限定されず、例えば円形や楕円形であってもよい。
【図面の簡単な説明】
【００３８】
【図１】本発明の一実施形態の洗面化粧台用トレイを設置した全体斜視図である。
【図２】同上の側断面図である。
【図３】同上の洗面化粧台用トレイの斜視図である。
【図４】同上のキャビネット内に洗面化粧代用トレイを収容したキャビネットの斜視図である。
【符号の説明】
【００３９】
１      洗面化粧台
１１    洗面ボウル
１２    鏡
１３    キャビネット
１４    吐水部
１５    吐水操作部
１６    開閉操作部
１７    洗面台下部空間
３      小物
３ａ    石鹸
４      洗面化粧台用トレイ
５      載置板
５１    貫通孔
５２    屈曲部
６      支持脚
６１    接地部
６１０  滑り止め部
６２    回動部
６３    上段部
【図１】
2010104448.tif 000003
【図２】
2010104448.tif 000004
【図３】
2010104448.tif 000005
【図４】
2010104448.tif 000006